(57)【要約】【課題】高精細化、大画面化と安定した書込み放電とを両立することが可能なパネルの駆動方法およびプラズマディスプレイ装置を提供する。【解決手段】走査電極および維持電極からなる表示電極対とデータ電極とを有するプラズマディスプレイパネル１０の駆動方法で、初期化期間と、走査電極に走査パルスを印加しデータ電極に書込みパルスを印加する書込み期間と、輝度重みに応じた数の維持パルスを表示電極対に印加する維持期間とを有する複数のサブフィールドで１フィールドを構成し、データ負荷検出回路３７によりサブフィールドごとに書込みパルスの負荷を求めて電源供給能力の低下を検出し、この検出結果に応じて初期化期間に走査電極へ印加する下り傾斜波形の到達電位を制御する。【選択図】図４
2013120377.tif 000002
【特許請求の範囲】
【請求項１】
走査電極および維持電極からなる表示電極対とデータ電極とを有する放電セルを複数備えたプラズマディスプレイパネルと、前記放電セルで初期化放電を発生させ壁電荷を形成する初期化期間と、前記走査電極に走査パルスを印加し前記データ電極に書込みパルスを印加する書込み期間と、輝度重みに応じた数の維持パルスを前記表示電極対に印加する維持期間とを有する複数のサブフィールドで１フィールドを構成して前記プラズマディスプレイパネルを駆動する駆動回路を有し、
前記サブフィールドごとに前記書込みパルスの負荷による電源供給能力の低下を検出し、検出結果に応じて前記初期化期間に走査電極へ印加する下り傾斜波形の到達電位を制御することを特徴とするプラズマディスプレイの駆動方法。
【請求項２】
前記書込みパルスの電源供給能力の低下が大きい場合は、電源供給能力の低下が小さい場合よりも初期化期間に走査電極へ印加する下り傾斜波形の到達電位を高く設定する事を特徴とする請求項１に記載のプラズマディスプレイ駆動方法。
【請求項３】
走査電極および維持電極からなる表示電極対とデータ電極とを有する放電セルを複数備えたプラズマディスプレイパネルと、前記放電セルで初期化放電を発生させ壁電荷を形成する初期化期間と、前記走査電極に走査パルスを印加し前記データ電極に書込みパルスを印加する書込み期間と、輝度重みに応じた数の維持パルスを前記表示電極対に印加する維持期間とを有する複数のサブフィールドで１フィールドを構成して前記プラズマディスプレイパネルを駆動する駆動回路と、
前記サブフィールドごとに前記書込みパルスの負荷による電源供給能力の低下を検出し、検出結果に応じて前記初期化期間に走査電極へ印加する下り傾斜波形の到達電位を制御することを特徴とするプラズマディスプレイの駆動装置。
【発明の詳細な説明】
【技術分野】
【０００１】
本発明は、壁掛けテレビや大型モニターに用いられるプラズマディスプレイパネルの駆動方法およびそれを用いたプラズマディスプレイ装置に関する。
【背景技術】
【０００２】
プラズマディスプレイパネル（以下、「パネル」と略記する）として代表的な交流面放電型パネルは、１対の走査電極と維持電極とからなる表示電極対が複数形成された前面板と、複数のデータ電極が形成された背面板とを対向配置し、その間に多数の放電セルが形成されている。そして放電セル内でガス放電により紫外線を発生させ、この紫外線で赤色、緑色および青色の各色の蛍光体を励起発光させてカラー表示を行う。
【０００３】
パネルを駆動する方法としては、１フィールド期間を複数のサブフィールドに分割した上で、発光させるサブフィールドの組み合わせによって階調表示を行うサブフィールド法が一般的である。各サブフィールドは、初期化期間、書込み期間および維持期間を有する。初期化期間では初期化放電を発生し、続く書込み動作に必要な壁電荷を形成する初期化動作を行う。初期化動作には、直前のサブフィールドの動作にかかわらず初期化放電を発生させる強制初期化動作と、直前のサブフィールドで書込み放電を行った放電セルのみで初期化放電を発生させる選択初期化動作とがある。書込み期間では、表示する画像に応じて放電セルで選択的に書込み放電を発生し壁電荷を形成する。そして維持期間では、走査電極と維持電極とに交互に維持パルスを印加して維持放電を発生させ、対応する放電セルの蛍光体層を発光させることにより画像表示を行う。この維持放電による蛍光体層の発光は階調表示に関係する発光であり、強制初期化動作にともなう発光は階調表示に関係しない発光である。
【０００４】
サブフィールド法の中でも最も低い階調である黒を表示する際の輝度を下げ、階調表示に関係しない発光を極力減らしてコントラストを向上させる駆動方法が検討されている。例えば特許文献１には、強制初期化動作を行う回数を１フィールドに１回とし、緩やかに変化する傾斜波形電圧を用いて強制初期化動作を行う駆動方法が開示されている。
【０００５】
また、パネルの高精細度、大画面のパネルにおいて、安定した放電を発生させるために必要な印加電圧が大きくなるという課題に対しては、特許文献２のようにパネルの点灯する画素比率が大きくなるにつれて走査パルス電圧のパルス幅および書込みパルス電圧のパルス幅を延長する事が効果的である。この手法を用いれば、点灯する画素比率が大きくなる事で生じる電圧降下を補って安定した放電を発生させる事ができる。
【先行技術文献】
【特許文献】
【０００６】
【特許文献１】特開２０００−２４２２２４号公報
【特許文献２】特開２００７−３３３９２１号公報
【発明の概要】
【発明が解決しようとする課題】
【０００７】
一方、近年では、更に高精細かつ大画面のパネルが求められている。そうしたパネルでは、駆動しなければならない電極の数が増加し、また、駆動時のインピーダンスも増加するため、消費電力が増大する傾向にある。そのため、そのようなパネルを備えたプラズマディスプレイ装置では、特に安定した書込み放電に必要となるデータパルスに対しては、従来の点灯する画素比率に応じて走査パルス電圧のパルス幅および書込みパルス電圧のパルス幅を延長する手法では不十分であるという課題があった。
【０００８】
本発明は、上記の課題に鑑みなされたものであり、更なる高精細化、大画面化と安定した書込み放電とを両立することが可能なパネルの駆動方法およびプラズマディスプレイ装置を提供することを目的とする。
【課題を解決するための手段】
【０００９】
上記の課題を解決するために本発明は、走査電極および維持電極からなる表示電極対とデータ電極とを有する放電セルを複数備えたプラズマディスプレイパネルと、放電セルで初期化放電を発生させ壁電荷を形成する初期化期間と、走査電極に走査パルスを印加しデータ電極に書込みパルスを印加する書込み期間と、輝度重みに応じた数の維持パルスを前記表示電極対に印加する維持期間とを有する複数のサブフィールドで１フィールドを構成してプラズマディスプレイパネルを駆動する駆動回路を有し、サブフィールドごとに書込みパルスの負荷による電源供給能力の低下を検出し、検出結果に応じて初期化期間に走査電極へ印加する下り傾斜波形の到達電位を制御するプラズマディスプレイの駆動方法に関するものである。
【００１０】
また、書込みパルスの電源供給能力の低下が大きい場合は、電源供給能力の低下が小さい場合よりも初期化期間に走査電極へ印加する下り傾斜波形の到達電位を高く設定する。
【００１１】
本発明は、走査電極および維持電極からなる表示電極対とデータ電極とを有する放電セルを複数備えたプラズマディスプレイパネルと、放電セルで初期化放電を発生させ壁電荷を形成する初期化期間と、走査電極に走査パルスを印加しデータ電極に書込みパルスを印加する書込み期間と、輝度重みに応じた数の維持パルスを表示電極対に印加する維持期間とを有する複数のサブフィールドで１フィールドを構成してプラズマディスプレイパネルを駆動する駆動回路と、サブフィールドごとに書込みパルスの負荷による電源供給能力の低下を検出し、検出結果に応じて初期化期間に走査電極へ印加する下り傾斜波形の到達電位を制御するプラズマディスプレイの駆動装置に関するものである。
【００１２】
この駆動方法やプラズマディスプレイの駆動装置により、高精細度、大画面のパネルであっても、書込みパルスとして印加する電圧（以降、データ電圧と記す）を小さく設定することができ、また消費電力を削減するとともに、安定した書込み放電を行うことが可能となる。さらにこのような制御方法においては、書込みパルスの電圧変動において、電圧降下が大きいラインは、電圧降下が小さなラインよりも、下り傾斜波形到達電位を低くしてもよい。
【発明の効果】
【００１３】
本発明によれば、高精細化、大画面化と安定した書込み放電とを両立することが可能なパネルの駆動方法およびプラズマディスプレイ装置を提供することが可能となる。
【図面の簡単な説明】
【００１４】
【図１】本発明の一実施の形態におけるプラズマディスプレイ装置に用いるプラズマディスプレイパネルの構造を示す分解斜視図
【図２】同プラズマディスプレイパネルの電極配列の一例を示す図
【図３】同プラズマディスプレイパネルの各電極に印加する駆動電圧波形の一例を示す図
【図４】本発明の一実施の形態におけるプラズマディスプレイ装置の一例の回路ブロック図
【図５】本発明の一実施の形態におけるプラズマディスプレイ装置に用いるプラズマディスプレイパネルのあるサブフィールドにおける表示パターンの一例を示す図
【図６】同プラズマディスプレイパネルのあるサブフィールドにおける他の例の表示パターンを示す図
【図７】同プラズマディスプレイパネルのあるサブフィールドにおける他の例の表示パターンを示す図
【図８】本発明におけるパネル表示パターンの一例を示す図
【図９】本発明の一実施の形態におけるプラズマディスプレイ装置に用いるプラズマディスプレイパネルを駆動する際に電圧降下検出回路が検出するデータ電圧降下値を示す図
【図１０】同プラズマディスプレイパネルを駆動する際に、下り傾斜波形到達電位と安定した書込み動作を行う為に必要なデータ電圧を示す図
【図１１】同プラズマディスプレイパネルを駆動する際に、下り傾斜波形到達電位と誤書込みを発生させるデータ電圧を示す図
【図１２】同プラズマディスプレイパネルを駆動する際に、データ電圧降下値と下り傾斜波形到達電位の制御の一例を示す図
【発明を実施するための形態】
【００１５】
以下、本発明の実施の形態におけるプラズマディスプレイ装置について、図面を用いて説明する。
【００１６】
（実施の形態１）
図１は、本発明の一実施の形態におけるプラズマディスプレイ装置に用いるパネル１０の構造を示す分解斜視図である。ガラス製の前面基板２１上には、走査電極２２と維持電極２３とからなる表示電極対２４が複数形成されている。そして表示電極対２４を覆うように誘電体層２５が形成され、その誘電体層２５上に保護層２６が形成されている。
【００１７】
背面基板３１上にはデータ電極３２が複数形成され、データ電極３２を覆うように誘電体層３３が形成され、さらにその上に井桁状の隔壁３４が形成されている。そして、隔壁３４の側面および誘電体層３３上には赤色（Ｒ）、緑色（Ｇ）および青色（Ｂ）の各色に発光する蛍光体層３５が設けられている。
【００１８】
これら前面基板２１と背面基板３１とは、微小な放電空間を挟んで表示電極対２４とデータ電極３２とが交差するように対向配置され、その外周部をガラスフリット等の封着材によって封着されている。そして放電空間には、放電ガスとして、例えばネオンとキセノンとの混合ガスが封入されている。放電空間は隔壁３４によって複数の区画に仕切られており、表示電極対２４とデータ電極３２とが交差する部分に放電セルが形成されている。そしてこれらの放電セルが放電、発光（点灯）することにより画像が表示される。
【００１９】
なお、パネル１０の構造は上述したものに限られるわけではなく、例えばストライプ状の隔壁を備えたものであってもよい。
【００２０】
図２は、本発明の一実施の形態におけるプラズマディスプレイ装置に用いるパネル１０の電極配列図である。パネル１０には、行方向（ライン方向）に長いｎ本の走査電極ＳＣ１〜走査電極ＳＣｎ（図１の走査電極２２）およびｎ本の維持電極ＳＵ１〜維持電極ＳＵｎ（図１の維持電極２３）が配列され、列方向に長いｍ本のデータ電極Ｄ１〜データ電極Ｄｍ（図１のデータ電極３２）が配列されている。そして、１対の走査電極ＳＣｉ（ｉ＝１〜ｎ）および維持電極ＳＵｉと１つのデータ電極Ｄｊ（ｊ＝１〜ｍ）とが交差した部分に放電セルが形成される。すなわち、放電セルは放電空間内にｍ×ｎ個形成され、それらの放電セルが形成された領域がパネル１０の表示領域となる。なお、本実施の形態においては、ｎ＝７６８であるものとするが、本発明は何らこの数値に限定されるものではない。
【００２１】
次に、本実施の形態におけるプラズマディスプレイ装置のパネル１０の駆動方法について説明する。パネル１０はサブフィールド法、すなわち１フィールド期間を複数のサブフィールドに分割し、サブフィールド毎に各放電セルの発光・非発光を制御することによって階調表示を行う。それぞれのサブフィールドは初期化期間、書込み期間および維持期間を有する。
【００２２】
図３は、本発明の一実施の形態におけるパネル１０の各電極に印加する駆動電圧波形を示す図である。図３には、書込み期間において最初に書込み動作を行う走査電極ＳＣ１、書込み期間において最後に書込み動作を行う走査電極ＳＣｎ、維持電極ＳＵ１〜維持電極ＳＵｎ、およびデータ電極Ｄ１〜データ電極Ｄｍのそれぞれに印加する駆動電圧波形を示す。
【００２３】
また、図３には、初期化期間に走査電極ＳＣ１〜走査電極ＳＣｎに印加する駆動電圧の波形形状が異なる２つのサブフィールドを示す。なお、他のサブフィールドにおける駆動電圧波形は、維持期間における維持パルスの発生数が異なる以外は２つ目のサブフィールドの駆動電圧波形とほぼ同様である。
【００２４】
図３に示す１つ目のサブフィールドの初期化期間では、維持電極ＳＵ１〜維持電極ＳＵｎに電圧０（Ｖ）を印加し、走査電極ＳＣ１〜走査電極ＳＣｎに電圧Ｖｉ１から電圧Ｖｉ２に向かって緩やかに上昇するランプ電圧Ｌ１を印加する。その後、維持電極ＳＵ１〜維持電極ＳＵｎに電圧Ｖｅ１を印加するとともに、走査電極ＳＣ１〜走査電極ＳＣｎに電圧Ｖｉ３から電圧Ｖｉ４に向かって緩やかに下降するランプ電圧Ｌ２を印加する。すると各放電セルで微弱な初期化放電が発生し、続く書込み動作に必要な壁電荷を各電極上に形成する。なお、初期化期間の動作としては、図３の２つ目のサブフィールドの初期化期間に示すように、走査電極ＳＣ１〜走査電極ＳＣｎに対して緩やかに下降するランプ電圧Ｌ４を印加するだけでもよい。
【００２５】
書込み期間では、維持電極ＳＵ１〜維持電極ＳＵｎに電圧Ｖｅ２を印加し、走査電極ＳＣ１〜走査電極ＳＣｎに電圧Ｖｃを印加する。次に、最初に書込み動作を行う走査電極ＳＣ１に負の電圧Ｖａの走査パルスを印加するとともに、最初に書込み動作を行う行の発光すべき放電セルに対応するデータ電極Ｄｋに正の電圧Ｖｄの書込みパルスを印加する。すると走査パルスと書込みパルスとが同時に印加された放電セルでは書込み放電が発生し、走査電極ＳＣ１および維持電極ＳＵ１に壁電荷を蓄積する書込み動作が行われる。
【００２６】
次に、２番目に書込み動作を行う走査電極ＳＣ２に走査パルスを印加するとともに、２番目に書込み動作を行う行の発光すべき放電セルに対応するデータ電極Ｄｋに書込みパルスを印加する。すると走査パルスと書込みパルスとが同時に印加された放電セルでは書込み放電が発生し、書込み動作が行われる。以上の書込み動作をすべての行の放電セルで行い、発光すべき放電セルに対して選択的に書込み放電を発生させ壁電荷を形成する。
【００２７】
続く維持期間では、維持電極ＳＵ１〜維持電極ＳＵｎに電圧０（Ｖ）を印加し、走査電極ＳＣ１〜走査電極ＳＣｎに電圧Ｖｓｕｓの維持パルスを印加する。すると、書込み放電を起こした放電セルでは維持放電が起こり発光する。次に、走査電極ＳＣ１〜走査電極ＳＣｎに電圧０（Ｖ）を印加するとともに、維持電極ＳＵ１〜維持電極ＳＵｎに電圧Ｖｓｕｓの維持パルスを印加する。すると維持放電を起こした放電セルでは再び維持放電が起こり発光する。
【００２８】
以下同様に、輝度重みに応じた数の維持パルスを走査電極ＳＣ１〜走査電極ＳＣｎおよび維持電極ＳＵ１〜維持電極ＳＵｎに交互に印加する。その後、走査電極ＳＣ１〜走査電極ＳＣｎに電圧Ｖｒに向かって上昇するランプ電圧Ｌ３を印加する。これにより放電セル内における不要な壁電荷を消去する放電を、維持放電を発生した放電セルで発生し、維持期間を終了する。
【００２９】
続くサブフィールドにおいては、２つ目のサブフィールドの動作とほぼ同様の動作を繰り返すことにより放電セルを発光させる。これにより、パネル１０に画像を表示する。
【００３０】
なお、本実施の形態において各電極に印加する電圧値は、例えば、電圧Ｖｉ１＝１４５（Ｖ）、電圧Ｖｉ２＝３５０（Ｖ）、電圧Ｖｉ３＝１９０（Ｖ）、電圧Ｖｉ４＝−１６０（Ｖ）、電圧Ｖａ＝−１８０（Ｖ）、電圧Ｖｓｕｓ＝１９０（Ｖ）、電圧Ｖｒ＝１９０（Ｖ）、電圧Ｖｅ１＝１２５（Ｖ）、電圧Ｖｅ２＝１２５（Ｖ）、電圧Ｖｄ＝６０（Ｖ）である。また電圧Ｖｃは負の電圧Ｖａ＝−１８０（Ｖ）に正の電圧Ｖｓｃｎ＝１４５（Ｖ）を重畳することで発生することができ、その場合、電圧Ｖｃ＝−３５（Ｖ）となる。ただしこれらの電圧値は、単に一例を挙げただけに過ぎない。各電圧値は、パネル１０の特性やプラズマディスプレイ装置の仕様等に合わせて、適宜最適な値に設定することが望ましい。
【００３１】
次に、本実施の形態におけるプラズマディスプレイ装置の駆動回路について説明する。
【００３２】
図４は、本発明の一実施の形態におけるプラズマディスプレイ装置３０の回路ブロック図である。プラズマディスプレイ装置３０は、パネル１０および駆動回路を備え、駆動回路は、画像信号処理回路３６、データ負荷検出回路３７、データ電極駆動回路４２、走査電極駆動回路４３、維持電極駆動回路４４、制御信号発生回路４０、各回路ブロックに必要な電源を供給する電源回路（図示せず）を備えている。
【００３３】
画像信号処理回路３６は、画像信号をパネル１０で表示できる画素数および階調数の画像信号に変換し、さらにサブフィールドのそれぞれにおける発光・非発光をデジタル信号のそれぞれのビットの「１」、「０」に対応させた画像データに変換する。データ電極駆動回路４２は、画像データを各データ電極Ｄ１〜データ電極Ｄｍに対応する書込みパルスに変換し、各データ電極Ｄ１〜データ電極Ｄｍに印加する。
【００３４】
また、その際の書込みパルスの印加パターンに応じて、データ負荷検出回路３７は、フィールド毎の発光パターンから、データパルスを印加する電源供給部分にかかる負荷を検出し、電源供給能力の低下を検出し、制御信号発生回路４０に出力する。
【００３５】
制御信号発生回路４０は水平同期信号、垂直同期信号、ＳＧ毎の電圧低下をもとにして、各回路ブロックの動作を制御する各種の制御信号を発生し、それぞれの回路ブロックへ供給する。
【００３６】
走査電極駆動回路４３は、制御信号に基づき駆動電圧波形を作成し、走査電極ＳＣ１〜走査電極ＳＣｎのそれぞれに印加する。書込み期間では、制御信号に従ったパルス幅の走査パルスを発生して走査電極ＳＣ１〜走査電極ＳＣｎに印加する。また、維持期間では、制御信号に従って維持パルスを発生し、走査電極ＳＣ１〜走査電極ＳＣｎに印加する。
【００３７】
維持電極駆動回路４４は制御信号に基づき駆動電圧波形を作成し、維持電極ＳＵ１〜維持電極ＳＵｎのそれぞれに印加する。維持期間では、制御信号に従って維持パルスを発生し、維持電極ＳＵ１〜維持電極ＳＵｎに印加する。
【００３８】
データ電極駆動回路４２は、制御信号に基づき駆動電圧波形を作成し、データ電極Ｄ１〜データ電極Ｄｍのそれぞれに印加する。書込み期間では、制御信号に従ったパルス幅の書込みパルスを発生してデータ電極Ｄ１〜データ電極Ｄｍに印加する。
【００３９】
次に本発明における、データ負荷検出回路の動作と、検出結果に応じたデータパルス幅制御に関して詳細に説明する。図５及び図６はあるサブフィールドにおける表示パターン例を示した図である。図中において「１」と記した画素は点灯、「０」と記した画素は非点灯を表している。図５、図６ともに、画素の点灯比率は等しく５０％となっている。ここで、図５の特徴としては、ある対象画素に着目すると、水平方向の隣接画素が同相で立ち上がる。例えば横縞模様を表示するとこのような点灯パターンとなる。一方で、図６の特徴としては、ある対象画素に着目すると、水平方向の隣接画素が逆相で立ち上がる。例えば市松模様を表示するとこのような点灯パターンとなる。
【００４０】
各データ電極Ｄ１〜Ｄｍを駆動しているのはデータ電極駆動回路４２であるが、データ電極駆動回路４２側から見ると各データ電極Ｄｊは容量性の負荷である。従って書込み期間において、各データ電極に印加する電圧を接地電位０（Ｖ）から書込みパルス電圧Ｖｄへ、あるいは書込みパルス電圧Ｖｄから接地電位０（Ｖ）へ切換える毎にこの容量を充放電しなければならない。そしてその充放電の回数が多いとデータ電極駆動回路４２の消費電力も多くなり、データパルスを印加するための電源供給能力の低下が発生する。
【００４１】
加えて隣接するデータ電極Ｄｊ＋１、Ｄｊ−１に印加する電圧が逆位相で変化するとさらに大きくなる。従って、図５と図６では、上述したようにどちらのパターンも画素の点灯比率は等しく５０％である。従って電圧降下は等しい。しかし実際に印加されるデータパルス電位を正確に知るためには、データパルスを印加する電源供給部分にかかる負荷の違いがあると、電源供給能力の低下を鑑みる必要がある。そのため本実施の一例では、サブフィールドのそれぞれに対応する画像データの各ビットに対して、上下および左右の画素のビットから対象画素の負荷値を検出する。更に、水平方向１ライン分の総和を計算することにより、走査電極ＳＣｊと維持電極ＳＵｊに囲まれたラインを書き込むために印加するデータパルスを印加する電源供給部分にかかる負荷を検出することで電源供給能力の低下を検出している。
【００４２】
ここで図７を用いて、本実施の一例の対象画素の負荷値の計算方法を説明する。図中の丸印で囲んだ画素を対象画素とする。図７（Ａ）では、上の画素及び対象画素がともに書き込まないため、電圧を変化させない。このため例えば負荷を０とする。同様に図７（Ｂ）においては、上の画素及び対象画素がともに書き込むため、電圧を変化させないので例えば負荷は同じく０とする。図７（Ｃ）では、上の画素では書き込まず、対象画素で書き込むため、電圧を接地電位０（Ｖ）から書込みパルス電圧Ｖｄに変化させる容量が発生する。一方、左の画素は同相で立ち上がるため、左の画素との間に容量は発生しない。このときの負荷を例えば１とする。図７（Ｄ）では、上の画素では書き込まず、対象画素で書き込むため、電圧を接地電位０（Ｖ）から書込みパルス電圧Ｖｄに変化させる容量が発生する。一方、左の画素は接地電位０（Ｖ）で変化しない為、左の画素との間にも容量が発生する。この時の負荷を例えば２とする。これは、左の画素が書込みパルス電圧Ｖｄ（Ｖ）で変化しない場合も同様である。図７（Ｅ）では、上の画素では書き込まず、対象画素で書き込むため、電圧を接地電位０（Ｖ）から書込みパルス電圧Ｖｄに変化させる容量が発生する。一方、左の画素は書込みパルス電圧Ｖｄから接地電位０（Ｖ）に対象画素とは逆相で変化する。この時は左の画素との間に発生する容量は図７（Ｄ）の場合よりもさらに大きくなるため、例えば負荷を３とする。
【００４３】
この計算を画素毎に行うことにより、ライン毎の負荷を検出でき、電源供給能力の低下を加味した実際にパネルに印加されているデータ電圧をより正確に知ることができる。本実施の形態におけるデータ負荷検出回路は、この方法でデータ電圧の負荷量を時系列に検出し、制御信号発生回路４０に出力する。
【００４４】
以下は本実施の一例の具体的な動作の説明である。図８のように１ライン目から１０８０ライン目まで市松模様表示を表示する場合を例として説明する。尚、市松部分の表示は図６に拡大図示できる。各画素は隣接するデータ電極Ｄｊ＋１、Ｄｊ−１に印加する電圧が逆位相で変化するため非常に大きな電圧降下を発生させる。
【００４５】
図９は上述した条件での上述フィールドにおいて、データ負荷検出回路が検出したデータ電極駆動回路に供給されるデータ電圧を表している。縦軸は、供給されるデータ電圧、横軸はライン数で図８のパターンに対応している。市松模様を表示時は、供給電圧降下が発生し、図のように供給される電圧が低下することを検出している。全白表示時には供給電圧降下は発生せず、電圧降下値は０Ｖとなる。
【００４６】
次に、図１０において、下り傾斜波形到達電位と画素を正しく点灯させるために必要なデータ電圧について説明する。本実施のパネルでは、下り傾斜波形到達電位と安定した書込み動作を行う為に必要なデータ電圧は相関があり、下り傾斜波形到達電位を高く設定すると、データ電圧を小さく設定できる事が分かっている。一方で、図１１においては、下り傾斜波形到達電位と点灯させない画素が誤点灯してしまうデータ電圧の関係を表している。本実施のパネルでは、下り傾斜波形到達電位とデータ電圧は相関があり、下り傾斜波形到達電位を高く設定すると、誤放電が発生するデータ電圧が下がってくる事が分かっている。上述のように、下り傾斜波形到達電位を高く設定すると、正しく書込み動作を行うためのデータ電圧を小さくすることができるが、一方で誤放電も発生しやすくなる。
【００４７】
そこで本実施の形態では、データ負荷検出回路が検出するデータ負荷から算出される供給電圧の低下値を制御信号発生回路に出力する。供給電圧の低下値はパネルを表示するプラズマディスプレイ装置の電源の能力によって最適に設定する。
【００４８】
図１２において、下り傾斜波形到達電位の制御の一例を示す。制御信号発生回路では、供給電圧の低下値に基づいて、サブフィールドごとに適切な下り傾斜波形到達電位を設定して、走査電極駆動回路およびデータ電極駆動回路を駆動させる。
【００４９】
即ち、供給電圧の低下値が大きい場合には下り傾斜波形到達電位を高くして正しく書込み動作をさせる。また、供給電圧の低下値が小さい場合には下り傾斜波形到達電位を低くして、誤放電の発生を抑制する。この下り傾斜波形到達電位の設定及び制御に関しては、パネルの放電の特性やパネルの構造等に従って最適に設定する。
【００５０】
これにより、高精細度、大画面パネルであっても、書込みパルスとして印加する電圧を小さく設定することができ、消費電力を削減するとともに、安定した書込み放電を行うことが可能となる。
【産業上の利用可能性】
【００５１】
本発明は高精細化、大画面化と安定した書込み放電とを両立することができ、プラズマディスプレイ装置及びパネルの駆動方法として有用である。
【符号の説明】
【００５２】
１０  パネル
２１  前面基板
２２  走査電極
２３  維持電極
２４  表示電極対
２５，３３  誘電体層
２６  保護層
３０  プラズマディスプレイ装置
３１  背面基板
３２  データ電極
３４  隔壁
３５  蛍光体層
３６  画像信号処理回路
３７  データ負荷検出回路
４０  制御信号発生回路
４２  データ電極駆動回路
４３  走査電極駆動回路
４４  維持電極駆動回路
【図１】
2013120377.tif 000003
【図２】
2013120377.tif 000004
【図３】
2013120377.tif 000005
【図４】
2013120377.tif 000006
【図５】
2013120377.tif 000007
【図６】
2013120377.tif 000008
【図９】
2013120377.tif 000009
【図１０】
2013120377.tif 000010
【図１１】
2013120377.tif 000011
【図１２】
2013120377.tif 000012
【図７】
2013120377.tif 000013
【図８】
2013120377.tif 000014